【手続補正書】
【提出日】平成24年10月12日(2012.10.12)
【手続補正１】
【補正対象書類名】特許請求の範囲
【補正対象項目名】全文
【補正方法】変更
【補正の内容】
【特許請求の範囲】
【請求項１】
水からの水素及び酸素の光電気化学的生産のための、並びに、同時の又は別個に進行する、電気の光電気的／光起電的生産のための方法において、水をケイ化物（シリサイド）と、光を同時に適用しながら接触させるか、又は、電気のみの生産の場合にはこの水接触もなしで済ませることができることを特徴とする方法。
【請求項２】
前記ケイ化物及びケイ化物類似化合物は、金属のケイ化物及び／又は非金属のケイ化物、例えば、ケイ化ホウ素、炭素含有ケイ化物及び窒素含有ケイ化物、例えばケイ化チタン（ＴｉＳｉ2、Ｔｉ5Ｓｉ3）、ケイ化ニッケル（Ｎｉ2Ｓｉ）、ケイ化鉄（ＦｅＳｉ2、ＦｅＳｉ）、ケイ化タリウム（ＴｈＳｉ2）、ケイ化ホウ素（四ホウ化ケイ素ともいう）（Ｂ4Ｓｉ）、ケイ化コバルト（ＣｏＳｉ2）、ケイ化白金（ＰｔＳｉ、Ｐｔ2Ｓｉ）、ケイ化マンガン（ＭｎＳｉ2）、チタンカーボシリサイド（Ｔｉ3Ｃ2Ｓｉ）、カーボシリサイド／ポリ−カーボシリサイド（ＣＳｉ／ポリ−ＣＳｉ）（炭化ケイ素／ポリケイ素炭化物ともいう）、ケイ化イリジウム（ＩｒＳｉ2）、ニトロケイ化物（窒化ケイ素ともいう）（Ｎ4Ｓｉ3）、ケイ化ジルコニウム（ＺｒＳｉ2）、ケイ化タンタル（ＴａＳｉ2）、ケイ化バナジウム（Ｖ2Ｓｉ）又はケイ化クロム（ＣｒＳｉ2）、すなわち、ケイ素を含有し、かつ、分子式ＲＳｉx［式中、Ｒは有機の、金属の、有機金属の及び／又は無機の基又はその混合物であり、Ｓｉは元素ケイ素であり、増加する数の原子Ｘ＞０を有する］に相応する化合物に属することを特徴とする請求項１記載の方法。
【請求項３】
前記ケイ化物が、高められた電子密度（負の荷電密度）を有するケイ素原子を少なくとも１つ含有することを特徴とする請求項１又は２記載の方法。
【請求項４】
前記ケイ化物が、触媒及び人工光や太陽光また同様にこの人工及び／又は太陽線の熱的部分の受容材として光電気化学プロセス、例えば水分解において及び／又は電気の生産のための光電気的／光起電的プロセスにおいて使用されることができることを特徴とする請求項１から３のいずれか１項記載の方法。
【請求項５】
前記ケイ化物が電極として用いられ、かつ、電気伝導性システム中への電解質の使用を介して１又は複数の対電極と連結していることを特徴とする請求項１から４のいずれか１項記載の方法。
【請求項６】
前記ケイ化物が、前記水分解と同時に又は別個に電流を提供し、その際、この対電極が金属、遷移金属、金属酸化物、遷移金属酸化物、非金属構造及び／又は混合構造であることもできるが、この全ての対電極は電気伝導性であるべきであることを特徴とする請求項１から５のいずれか１項記載の方法。
【請求項７】
前記ケイ化物が光受容材として、水からの水及び酸素の生産のための、並びに、同時の又は別個に進行する、電気の光電気的／光起電的生産のための、光電気化学的設備の外側にも存在することができることを特徴とする請求項１から６のいずれか１項記載の方法。
【請求項８】
水からの水素及び酸素の生産のための、並びに、同時の又は別個に進行する、電気の生産のための光化学反応が、電極材料及び／又は集光材料としてのケイ化物の存在下で、光電気化学的又は光電気的／光起電的プロセスの一部として進行し、その際、前記ケイ化物は好ましくは結晶質の形態で使用され、かつ、このプロセスは濃縮しかつ／又は拡散した形態にある人工光及び／又は太陽光で稼働することを特徴とする請求項１から７のいずれか１項記載の方法。
【請求項９】
前記ケイ化物が電極として用いられ、かつ、１又は複数の対電極と電気伝導的に連結しており、その際、純粋に光電気的／光起電的な使用及び前記ケイ化物及び対電極の適したドーピングでは、電解質の使用なしですませることができ、かつ、前記ケイ化物及び対電極を直接的に接触させることができることを特徴とする請求項１から８のいずれか１項記載の方法。
【請求項１０】
光源及び／又は付加的な熱エネルギー源が、２００〜１５０００ｎｍの範囲内のエネルギーを放射することを特徴とする請求項１から９のいずれか１項記載の方法。
【請求項１１】
前記ケイ化物の光吸収を、染料及び／又は染料集合物を前記ケイ化物に連結／複合化／取り付け／結合することにより、増強することを特徴とする請求項１から１０のいずれか１項記載の方法。
【請求項１２】
使用される染料がペリレン及びペリレン類似体であることを特徴とする請求項１から１１のいずれか１項記載の方法。
【請求項１３】
より高い反応温度及び／又は人工の及び／又は太陽の光濃度及び／又は光強度が当該方法の経過に好ましく作用することを特徴とする請求項１から１２のいずれか１項記載の方法。
【請求項１４】
水からの水素及び酸素の生産のために、及び／又は、同時の又は別個に進行する、電気の生産のために、付加的に導入される熱エネルギーが、光化学的光源に、人工及び／又は太陽光源に、及び／又は、熱エネルギーを生じる他の装置に由来し、これは例えば、電気的加熱システム、マイクロ波システム及び／又は地熱及び／又は他のエネルギー源であることを特徴とする請求項１から１３のいずれか１項記載の方法。
【請求項１５】
１又は複数のケイ化物が、当該方法に能動的に関与し、かつ、さらに、その反応性において、ケイ化物構造を有しない他の半導体材料により支持されており、この材料が、例えば、二酸化ルテニウム（ＲｕＯ2）、二酸化マンガン（ＭｎＯ2）、三酸化タングステン（ＷＯ3）、酸化イリジウム（ＩｒＯ2）、酸化ロジウム（ＲｈＯ2）及び、請求項１から１４のいずれか１項記載の方法を能動的に支持するための他の半導体材料であることを特徴とする、請求項１から１４のいずれか１項記載の方法。
【請求項１６】
前記ケイ化物が固定化した形態で使用されることができ、すなわち、この化合物がポリマー材料（例えば、ポリアミド、マクロロン又はプレキシガラス）、表面、ガラス又はガラス類似材料に埋め込まれるか、又はポリマー材料、表面、ガラス又はガラス類似材料に取り付け／固着されている場合であり、特にこれは、このポリマー及び／又はガラス状材料が電気／電子／荷電伝導性である場合であることを特徴とする請求項１から１５のいずれか１項記載の方法。
【請求項１７】
前記ケイ化物がポリマー材料（例えば、ポリアミド、マクロロン又はプレキシガラス）又はガラス又はガラス類似材料での表面処理後に適用され、かつ、これが特に、前記ポリマー及び／又はガラス状材料が電気／電子／荷電伝導性である場合であることを特徴とする請求項１から１６のいずれか１項記載の方法。
【請求項１８】
前記ケイ化物及び対電極を接触させ、リチウム、ナトリウム、マグネシウム、カリウム、カルシウム、アルミニウム、ホウ素、炭素、窒素、ケイ素、チタン、バナジウム、ジルコニウム、イットリウム、ランタン、ニッケル、マンガン、コバルト、ガリウム、ゲルマニウム、インジウム、ヒ素、リン、ランタニド又は他の、光起電において通常のｐ−及びｎ−ドーピング原子でドーピング／合金化し、これは、この元素の、元素及び／又はイオン／ラジカル状の形態にあり、かつ、これは、前記ケイ化物及び対電極材料に対して５０質量％までであることを特徴とする請求項１から１７のいずれか１項記載の方法。
【請求項１９】
前記ケイ化物が、水からの水素及び酸素の生産のための及び／又は同時の又は別個に進行する電気の生産のための前記方法を統合する一般的原則の一部としてであることを特徴とする請求項１から１８のいずれか１項記載の方法。
【請求項２０】
この新規技術が、例えば、エネルギーを生産／提供するために一般的に、エネルギー提供／−依存するシステムの稼働のために、加熱システムのために、燃料電池−技術のために、電気依存性の、又はエネルギー供給に依存する他の全ての技術のために、適用されることができ、まとめると、つまり、例えば、地球上の及び地球外の交通及び静止構造物及び装置、また同様に、生活、ビジネス及び健康を含めた人間の福利のための装置にも適用されることを特徴とする請求項１から１９のいずれか１項記載の方法。
【手続補正２】
【補正対象書類名】明細書
【補正対象項目名】００２２
【補正方法】変更
【補正の内容】
【００２２】
前述したより高温は、電気的手法で、地熱、光エネルギー、ソーラーエネルギー、加熱、マイクロ波放電（Mikrowellenentladung）又は熱エネルギーのその他の全ての供給源により生じさせることもできる。